(57)【要約】微細粒子状物質を残渣およびバルク物質から分離するための方法および装置が提示され、これは、フレーム、このフレームに連結され、その端部の１つでこのフレームに対して高さが調節可能であるスクリーン、このフレームの後端部の近傍に配置された取り外し可能なトラフ、およびこのフレームを振動し、物質の分離を支援するためのモーターを含む。この装置は、上記フレームの前端部に取り付けられた上面および下面を有する牽引バー、この牽引バーの下側表面に取り付けられた支持バーをさらに備え得る。
2006524121.tif 000002
【特許請求の範囲】
【請求項１】
微細粒子状物質をその他の物質から分離するための装置であって：
前端部および後端部を有するフレーム；
前端部、後端部、上面および底面を有する調節可能なスクリーンであって、該調節可能なスクリーンが該フレームの上部の上に配置され、そして該調節可能なスクリーンの後端部が該フレームの後端部に連結される、スクリーン；
該フレームおよび該調節可能なスクリーンの後端部の近傍に配置される取り外し可能なトラフ；ならびに
該調節可能なスクリーンの底面に取り付けられたモーターを備える、装置。
【請求項２】
前記フレームの前端部に取り付けられた上面および下面を有する牽引バーをさらに備える、請求項１に記載の装置。
【請求項３】
前記牽引バーの下面に取り付けられた支持バーをさらに備える、請求項２に記載の装置。
【請求項４】
前記牽引バーの上面および前記調節可能なスクリーン部材の底面に取り付けられた調節可能な高さの垂直バー部材をさらに備える、請求項３に記載の装置。
【請求項５】
前記垂直バー部材の高さを調節するための該垂直バー部材に取り付けられたクランクハンドルをさらに備える、請求項４に記載の装置。
【請求項６】
前記装置の動きを容易にするための前記フレームに取り付けられた少なくとも１つの車輪をさらに備える、請求項１に記載の装置。
【請求項７】
前記調節可能なスクリーンが、該調節可能なスクリーンの後端部を除く該調節可能なスクリーンの上面の周縁の周りに配置されたリップ部材を含む、請求項１に記載の装置。
【請求項８】
前記取り外し可能なトラフを支持するためのフレームの後端部に取り付けられたプラットホームをさらに備える、請求項１に記載の装置。
【請求項９】
前記調節可能なスクリーンが、前記調節可能なスクリーンの底面に近接して配置され、かつ該調節可能なスクリーンの前端部から後端部に延びる複数の垂直支持バーをさらに備える、請求項１に記載の装置。
【請求項１０】
前記取り外し可能なトラフが、物質をトラフに向けるために該取り外し可能なトラフの上側エッジから延びるリップ部材を含む、請求項１に記載の装置。
【請求項１１】
前記取り外し可能なトラフが、該トラフの対向する端部に配置された一対のハンドルを含む、請求項１に記載の装置。
【請求項１２】
前記調節可能なスクリーンの底面に近接して配置され、かつ該調節可能なスクリーンの幅を横切って延びる少なくとも１つの水平クロスバーをさらに備える、請求項１に記載の装置。
【請求項１３】
前記少なくとも１つの水平クロスバー部材をマウントするための一対のマウントブラケットをさらに備え、ここで、該マウントブラケットが、その中に該少なくとも１つの水平クロスバー部材を保持するために含まれる開口を備える、請求項１２に記載の装置。
【請求項１４】
前記マウントブラケットが、外層、中央層、および前記開口に隣接する内層をさらに備える、請求項１３に記載の装置。
【請求項１５】
前記中央層が、単離材料を含む、請求項１４に記載の装置。
【請求項１６】
前記モーターが、前記少なくとも１つの水平クロスバーに取り付けられる、請求項１２に記載の装置。
【請求項１７】
前記モーターを前記少なくとも１つの水平クロスバー部材にマウントするためのマウントプレートをさらに備える、請求項１６に記載の装置。
【請求項１８】
ゴルフコースバンカー中の残渣から砂を分離するための装置であって：
第１の端部および第２の端部を有するフレーム；
該フレームの上に配置された、第１の端部および第２の端部を有するスクリーンであって、ここで、該スクリーンの第１の端部は高さが調節可能であり、そして該スクリーンの第２の端部が該フレームの第２の端部に連結されている、スクリーン；
該フレームの第２の端部および該スクリーンの第２の端部の近傍に配置された取り外し可能なトラフ；ならびに
該スクリーンの底面の近傍に取り付けられたモーター、を備える、装置。
【請求項１９】
前記スクリーン部材の第１の端部の高さを調節するために、該スクリーン部材の第１の端部に連結された調節可能な高さの垂直バー部材をさらに備える、請求項１８に記載の装置。
【請求項２０】
前記装置の動きを容易にするための前記フレームに取り付けられた少なくとも１つの車輪をさらに備える、請求項１８に記載の装置。
【請求項２１】
前記スクリーンの上面が、該スクリーンの第２の端部を除く該スクリーンの上面の周縁の周りに配置されたリップ部材をさらに備える、請求項１８に記載の装置。
【請求項２２】
前記取り外し可能なトラフを支持するためのフレームの第２の端部に取り付けられたプラットホームをさらに備える、請求項１８に記載の装置。
【請求項２３】
前記スクリーンが、該スクリーンの底面に近接して配置され、かつ該スクリーンの第１の端部から第２の端部に延びる複数の垂直支持バーをさらに備える、請求項１８に記載の装置。
【請求項２４】
前記取り外し可能なトラフが、残渣を該取り外し可能なトラフに向けるために該取り外し可能なトラフの上側エッジから延びるリップ部材を含む、請求項１８に記載の装置。
【請求項２５】
前記取り外し可能なトラフが、該取り外し可能なトラフの対向する端部に配置された一対のハンドルを含む、請求項１８に記載の装置。
【請求項２６】
前記スクリーンの底面に近接して配置され、かつ該スクリーンの幅を横切って延びる少なくとも１つの水平クロスバーをさらに備える、請求項１８に記載の装置。
【請求項２７】
前記少なくとも１つの水平クロスバー部材をマウントするための一対のマウントブラケットをさらに備え、ここで、該マウントブラケットが、その中に該少なくとも１つの水平クロスバー部材を保持するために含まれる開口を備える、請求項２６に記載の装置。
【請求項２８】
前記マウントブラケットが、外層、中央層、および前記開口に隣接する内層をさらに備える、請求項２７に記載の装置。
【請求項２９】
前記中央層が、単離材料を含む、請求項２８に記載の装置。
【請求項３０】
前記モーターが、前記少なくとも１つの水平クロスバー部材に取り付けられる、請求項２６に記載の装置。
【請求項３１】
前記モーターを、前記少なくとも１つの水平クロスバー部材にマウントするためのマウントプレートをさらに備える、請求項３０に記載の装置。
【請求項３２】
微細粒子状物質をその他の物質から分離する方法であって：
フレームおよび該フレームの上部の上に配置されたスクリーンを提供する工程であって、ここで、該フレームおよびスクリーンがそれらの端部の１つで互いに移動可能に連結され、そして該スクリーンが該フレームに対し、それらの端部で高さが調節可能である工程；
該スクリーンの高さを、その調節可能な端部で該フレームに対して高める工程；
分離されるべき物質を該スクリーン上に注ぐ工程；
該スクリーンを振動して物質が該スクリーンを通過することを支援する工程；および
該スクリーンを通過しない物質を、該フレームに連結された取り外し可能なトラフ中に収集する工程、を包含する、方法。
【発明の詳細な説明】
【技術分野】
【０００１】
（関連出願への相互参照）
本出願は、２００３年２月１２日に出願された仮出願第６０／４４７,２２２号の利益およびそれに対する優先権を主張しており、この出願は、その全体が参考として本明細書によって援用される。
【０００２】
（発明の分野）
本発明は、一般に、微細粒子状物質をその他の物質から分離するための方法および装置に、より詳細には、フレームに対して種々の角度で配置され得る、フレームに連結された調節可能なスクリーンを有するポータブル装置を利用する、砂のような微細粒子状物質を、その他の物質から分離するための方法および装置に関する。小石、草、クリッピング、粘土および小枝のようなその他の物質から砂を分離するためにゴルフコースのバンカーでの使用に特に適しているが、本発明の方法および装置はまた、上記調節可能なスクリーンを通過し得る種々のその他の微細粒子状物質を分離するために用いられ得る。
【背景技術】
【０００３】
（発明の背景）
１つのタイプの物質を別の物質から分離するための装置は、当該技術分野では周知である。しかし、特定の位置および状況は、これら物質を分離するための効率的、費用効果があり、かつ移動可能な装置が有益であることが証明されるであろう状況を提示する。例えば、ゴルフコースは、それらが、プレーする顧客に美的に心地よいことを確実にするよう維持される。ゴルフコースを美的に維持するために、バンカーは、残渣を掃除および清掃されなければならず、これは、ゴミおよび残渣、ならびに大きな石およびその他の障害物を除去するために、作業者に砂を篩いにかけることを要求する。任意のゴルフコース上に多くのバンカーから存在する点で、効率的かつ移動可能な分離装置は、作業者が、迅速かつ効率的な様式でこのバンカーを美的に維持することを可能にする。
【発明の開示】
【発明が解決しようとする課題】
【０００４】
従って、物質をそれぞれの現場で迅速かつ効率的に分離し得るコンパクトな移動可能分離装置に対する必要性がある。
【課題を解決するための手段】
【０００５】
本発明は、微細粒子状物質をその他の物質から分離するための装置に関し、そして、一般に、前端部および後端部を有する支持フレーム、前端部、後端部、前端部および後端部、上面および底面を有する調節可能なスクリーンであって、ここで、このスクリーンは、上記フレームの上部の上に配置され、そしてこのスクリーンの後端部は上記フレームの後端部に連結されるスクリーン、このスクリーンから所定角度で傾くとき、このスクリーンを押し進め、大きな分離された物質を捕獲するための、上記フレームスクリーンの後端部の近傍に配置される取り外し可能なトラフ、および上記スクリーンを振動し、粒子分離を支援するよう機能する、上記スクリーンの底面に取り付けられたモーターを含む。
【０００６】
上面および下面を有する牽引バーが、上記フレームの前端部に取り付けられ得、そして地面とこの牽引バーとの間に配置された支持バーが、この牽引バーの上面に取り付けられ得る。
【０００７】
本発明のさらなる局面によれば、調節可能な高さを有する垂直バーが、上記牽引バーの上面に取り付けられ、かつ上記調節可能なスクリーンの後端部に連結され得、このスクリーンは、下にあるフレームに対して種々の角度で配置され得る。上記スクリーンの前端部の調節可能な高さは、このスクリーンを通過しない材料を上記取り外し可能なトラフ中に向けることを支援する。本発明の別の局面によれば、クランクハンドルが、この垂直バーの高さを調節するために、この垂直バーに取り付けられ得る。
【０００８】
１つ以上の垂直支持バーが、上記スクリーンの前部から上記スクリーンの後部まで延びる上記スクリーンの底面に近接して配置され得る。さらに、少なくとも１つの水平クロスバー部材が、上記スクリーンの幅を横切って延びる上記スクリーンの底面に近接して配置され得る。
【０００９】
本発明の別の局面によれば、一対のマウントブラケットが、各水平クロスバー部材をマウントするために用いられ得る。これらマウントブラケットは、上記水平クロスバー部材が挿入かつ保持され得る開口を含む。本発明のさらなる局面では、これらマウントブラケットは、外層、中央層、および上記マウントブラケット中の開口に隣接して横たわる内層を含む。このマウントブラケットの中央層は、隔離材のような隔離物質から成り得る。
【００１０】
本発明の１つの例示の実施形態では、上記水平クロスバー部材は、矩形形状の断面を有し、そしてモーターが上記水平バー部材の１つの底面に固定される。マウント設計図は、上記モーターを上記水平クロスバー部材の底面に固定するために用いられ得る。
【００１１】
本発明の別の例示の実施形態では、上記調節可能なスクリーンは、上記取り外し可能なトラフの近傍に配置される上記スクリーンの後端部を除く、上記スクリーンの周縁の周りに配置されるスクリーンの上表面から延びるリップ部材を含む。上記スクリーンの外部周縁の後端部上のリップ部材の欠如は、上記スクリーンの前端部が高められるとき、上記スクリーンを通過しない物質が、上記取り外し可能なトラフ中に容易に入ることを可能にする。
【００１２】
本発明のなお別の局面によれば、プラットホームが、上記取り外し可能なトラフを支持および保持するために上記フレームの後端部に取り付けられ得る。さらに、上記取り外し可能なトラフは、その上エッジの１つの上にリップ部材を含み得、残渣を上記取り外し可能なトラフ中に向けることを支援し、そしてハンドルが、この取り外し可能なトラフが棄てられなければならない残渣でいっぱいになるとき、このトラフを容易に取外すためにその対向する側に配置される。
【発明を実施するための最良の形態】
【００１３】
本発明は、添付の描写された図面と組み合わせて以後説明され、ここで、同様の参照番号は同様の要素を示す。
【００１４】
（詳細な説明）
本発明は、一般に、微細粒状物質をその他の物質から分離するための方法および装置を提供する。本発明の分離装置１０は、フレーム１２、フレーム１２上に配置され、その端部の１つの上でフレーム１２に対する高さが調節可能である調節可能なスクリーン１４、フレーム１２およびスクリーン１４の１つの端部の近傍に配置された取り外し可能なトラフ１６、およびスクリーン１４を振動するためにスクリーン１４の底面近傍に取り付けられたモーター１８を備える。
【００１５】
フレーム１２は、第１または前端部２０および第２または後端部２２を備え、そして、フレーム１２が、スクリーン１４を通過した後に微細な粒子状物質が通って移動し得る大きな開口２４を規定する限り、種々の設計および形態を備え得る。スクリーン１４は、第１または前端部３０、第２または後端部３２、上面３４および底面３６を含む。スクリーン１４は、スクリーン１４の上面３４から延び、そしてスクリーン１４の第２または後端部２２を除いて、スクリーン１４の周縁の周りに配置されるリップ部材３８をさらに備える。リップ部材３８は、スクリーン１４の上部上の分離されるべき物質を、それが、スクリーン１４を通過するか、またはスクリーン１４を取り外し可能なトラフ１６中に転がり落ちるまで保持することを支援するよう機能する。
【００１６】
スクリーン１４はまた、スクリーン１４の底面３６に近接して配置される１つ以上の垂直支持バー４０を備え得、これは、スクリーン１４を、スクリーン１４の第１または前端部３０からスクリーン１４の第２または後端部３２まで横切る。スクリーン１４はまた、スクリーン１４の底面３６に近接して配置される少なくとも１つの水平クロスバー部材４２を含み、これは、スクリーン１４の幅を横切って延びる。各水平クロスバー部材４２は、スクリーン１４の底面３６にマウントされ、一対のマウントブラケット４４が、水平クロスバー部材４２の対向する端部に、かつフレーム１４の対向する側に配置される。
【００１７】
マウントブラケット４４は、多くの形態および設計を備え得るが、水平クロスバー部材４２の対向する端部を挿入かつ保持するために、それを通って含まれる開口４８を有する（図６を参照のこと）。図６は、マウントブラケット４４の断面図を示す。マウントブラケット４４は、外層５２、中央層５４、および開口４８に隣接して横たわる内層５６を含む。外層５２および内層５６は、例えば、スチールまたはアルミニウムのような金属から成り得るが、任意の剛直性の、耐久性物質から成り得る。中央層５４は、隔離材のような隔離物質から成り、これは、スクリーン１４への振動力を隔離する浮動性効果を生成するように機能する。マウントブラケット４４は、スクリーン１４の側面に溶接され得る。
【００１８】
当業者によって、スクリーン１４が、マウントブラケット４４およびリップ部材３８が固定され得るか、または取り付けられ得る外部スクリーンフレームをさらに備え得ることもまた認識される。モーター１８は、好ましくは、水平クロスバー部材４２にマウントされ、そしてマウントプレート６０を用いてモーター１８を水平クロスバー部材４２にマウントし得る。
【００１９】
分離装置１０は、フレーム２０の第２または後端部２２に取り付けられるプラットホーム６２をさらに備え、分離装置１０が使用における間、取り外し可能なトラフ１６を支持かつ保持する。分離装置１０はまた、１つの位置から他の位置までの分離装置１０の移動を容易にするために、フレーム１２に取り付けられた１つ以上の車輪６４を備え得る。
【００２０】
上面６８および下面７０を有する牽引バー６６は、フレーム１２の第１または前端部２０に取り付けられ得る。さらに、支持バー７２が、牽引バー６６の下面７０に取り付けられ得、使用の間に地面の上で分離装置１０を安定化する。支持バー７２は、分離装置１０が使用されないとき、分離装置１０が容易に移動または牽引され得るように取り外し可能であるか、または折畳み可能であり得る。調節可能な高さの垂直バー部材７４は、牽引バー６６の上面６８およびスクリーン部材１４の底面３６に取り付けられ、そしてフレーム１２および地面に対するスクリーン１４の第１または前端部３０の高さを調節するよう機能する。フレーム１２およびスクリーン１６の第２または後端部２２および３２は、それぞれ、好ましくは、スクリーン１４がフレーム１２および地面に対して種々の角度で調節され得るように互いに回転可能に連結される。
【００２１】
取り外し可能なトラフ１６は、ほぼ矩形の形状を備え、そしてその上部の長さに沿ってリップ部材８０を含み、スクリーン１４を通過しない残渣およびバルク物質を取外し可能なトラフ１６中に向けることを支援する。取り外し可能なトラフ１６はまた、残渣およびバルク物質を棄てるために、プラットホーム６２から取り外し可能なトラフ１６を容易に持ち上げ、かつ取外すために、その対向する端部に位置するハンドル８２を備える。
【００２２】
ここで、図２を参照して、微細粒子状物質から残渣およびバルク材料を分離する機能を実施するための使用で示される本発明の分離装置の斜視図が示される。使用の前に、分離装置１０のスクリーン１４の第１または前端部３０は、スクリーン１４がフレーム１２および地面に対して所定の角度を形成するように高められる。例えば、ゴルフコースのバンカーに含まれる砂のような微細な粒子状物質、ならびに、例えば、小石、葉、小枝、および枝のような、バルク材料および残渣の混合物１００は、スクリーン１４の上面３４に注がれる。モーター１８がオンにされ、スクリーン１４を振動し、これは、スクリーン１４を通る微細な粒子状物質１０２の通過を支援することにより、残渣およびバルク物質１０４からの微細な粒子状物質１０２の分離を促進する。スクリーン１４を通過する微細な粒子状物質１０２はまた、フレーム１２中の開口２４を通過し、そしてその元の位置に戻る。
【００２３】
分離装置１０がその機能を実施した後、スクリーン１４の第１または前端部３０は、スクリーン１４の第２または後端部３２の高さまで下げられ、分離装置１０を、図３に示されるように、貯蔵、または非使用に動かす。分離装置１０は、次に、牽引バー６６を、例えば、ビークルまたはゴルフカートに取り付けることにより、図５に示されるように、分離装置１０がゴルフバンカー中の砂をその他の物質から分離するために用いられているとき、容易に移動または輸送され得る。一旦、分離装置１０が、使用のための新たな位置に移動されると、垂直バー部材７４の高さは、例えば、クランクハンドル１１０を用いることにより増加され、そして、図４に示されるように、フレーム１４の第１または前端部３０は、フレーム１２および地面に対して高められる。結果として、分離装置１０は、ここで再び使用の準備が整う。
【００２４】
先に述べたように、フレーム１２は、種々の設計および形態を備え得る。分離装置の別のフレーム１２の例示の実施形態は、図７および８に示される。
【００２５】
本発明を添付の図面と組み合わせて本明細書中で説明してきたが、当業者は、本発明の範囲がそのように制限されないことを認識する。本明細書中で論議された種々のコンポーネントおよびステップの選択、設計、および配列における改変は、本明細書の範囲から逸脱することなくなされ得る。
【図面の簡単な説明】
【００２６】
【図１】図１は、本発明の分離装置の斜視図を示し、上昇位置にある調節可能なスクリーンの１つの端部、およびこの装置から取外された取り外し可能なトラフを示す。
【図２】図２は、微細粒子状物質から残渣およびバルク物質を分離する機能を実施するための使用で示される、本発明の分離装置の斜視図である。
【図３】図３は、貯蔵位置で示される本発明の分離装置の側面図である。
【図４】図４は、使用のために位置決めされて示される本発明の分離装置の側面図である。
【図５】図５は、使用のために別の場所に移動するためにゴルフカートによって牽引されている本発明の分離装置の側面図である。
【図６】図６は、本発明の分離装置のスクリーンの底に、水平クロスバー部材をマウントするために用いられるマウントブラケットの断面図である。
【図７】図７は、貯蔵位置で示される本発明の分離装置の別の実施形態の側面図である。
【図８】図８は、使用のために配置されて示される、図７に描写される本発明の分離装置の実施形態の側面図である。
【図１】
2006524121.tif 000003
【図２】
2006524121.tif 000004
【図３】
2006524121.tif 000005
【図４】
2006524121.tif 000006
【図５】
2006524121.tif 000007
【図６】
2006524121.tif 000008
【図７】
2006524121.tif 000009
【図８】
2006524121.tif 000010